(57)【要約】      （修正有）【課題】再生装置のユーザとのコミュニケーションを改善し得る冒頭にて述べたような情報キャリアを提供する。【解決手段】主情報が記録された主記録領域とサブディジタル情報が記録されたサブ記録領域とを具え、サブディジタル情報の所定のビットがサブ情報チャネルを形成しいる情報キャリアにおいて、前記サブ記録領域が、少なくとも一つのカテゴリコードにより識別し得る種々のサブ情報チャネルパケットが交互に記録された部分を具えていることを特徴とする。【選択図】図１
2006139915.tif 000002
【特許請求の範囲】
【請求項１】
各フレームの第１部分に位置する主情報が記録された第１記録部分と、各フレームの第２部分に位置するサブディジタル情報が記録された第２記録部分と、各フレームの前に位置する各自のフレーム同期情報が記録されたフレーム同期記録部分とを含み、第１及び第２記録部分が前記フレーム同期記録部分に対し所定のビット位置を占め、第２記録部分に記録されたサブディジタル情報の所定のビットがサブ情報チャネルを形成し、主カテゴリコードとサブカテゴリコードとを含み前記主カテゴリコードと前記サブカテゴリコードとの組み合わせによって識別され得るパケットが前記第２記録部分に交互に記録されていることを特徴とする情報キャリア。
【請求項２】
前記パケットは符号化テキスト又は画像情報及び追加の制御コードを具えていることを特徴とする請求項１に記載の情報キャリア。
【請求項３】
符号化テキスト又は画像情報を含むパケット内の制御コードは表示装置にこの情報を表示する位置を示す位置コードを具えていることを特徴とする請求項２に記載の情報キャリア。
【請求項４】
前記制御コードは表示ライン数が異なる少なくとも２つの表示装置に対する位置コードを具えていることを特徴とする請求項３に記載の情報キャリア。
【請求項５】
少なくとも１つのパケットは装置を制御する少なくとも１つの命令コードを具えていることを特徴とする請求項２〜４の何れか一項に記載の情報キャリア。
【発明の詳細な説明】
【技術分野】
【０００１】
本発明は、主情報とサブディジタル情報が記録された情報キャリアを用い、サブディジタル情報の所定のビットがサブ情報チャネルを形成し、記録された情報の読出し後、前記サブ情報チャネルのビットが分離される情報転送システムに関するものであり、特に斯種のシステムに使用する情報キャリアに関するものである。
【背景技術】
【０００２】
斯種のシステム、情報キャリア及び装置は英国特許出願GB2,118,351から既知である。上記の出願には表示装置で表示させることのできる追加のテキスト情報をサブコードチャネルで記録してあるCDオーディオディスクを再生するためのCDプレーヤが示されている。斯かる追加情報は再生する音楽の曲目、歌の解説文、演奏者の名前等とすることができる
【発明の開示】
【発明が解決しようとする課題】
【０００３】
本発明の目的は再生装置のユーザとのコミュニケーションを改善し得る冒頭にて述べたような情報キャリアを提供することにある。
【課題を解決するための手段】
【０００４】
本発明は、主情報が記録された主記録領域とサブディジタル情報が記録されたサブ記録領域とを具え、サブディジタル情報の所定のビットがサブ情報チャネルを形成しいる情報キャリアであって、前記サブ記録領域が、少なくとも一つのカテゴリコードにより識別し得る種々のサブ情報チャネルパケットが交互に記録された部分を具えていることを特徴とする。
【０００５】
このような物理的構造を有する情報キャリアによれば、少なくとも一つのカテゴリコードで識別し得る種々のパケットに種々のテキスト情報を記録しておくことにより、ユーザはカテゴリの選択により、サブ記録領域の、カテゴリコードで識別し得る種々のパケットが記録されている部分から、所望のテキスト情報を選択することができる。また、これらのパケットはインターリーブ（交互配置）されているため、選択カテゴリの情報を入手し得るようになるまでの平均遅延時間が短くなる。特に、情報をCDオーディオ信号のサブコードＲ〜Ｗチャネルを介して転送する場合に、この際転送される毎秒当りのパケット数が多い(75)ために遅延時間は極めて短くなる。このようにデータ速度が速いと、遅延時間を目立つ程に短くしなくても同じ情報を多数回反復させることができるため、情報転送の信頼度を左程難なく簡単に改善し得るので有利である。
【０００６】
本願発明の好適例では、少なくとも一つのカテゴリコードで識別し得る種々のパケットは例えば主カテゴリコードとサブカテゴリコードを具えるものとする。この好適例では、主カテゴリコードとサブカテゴリコードの組合せで識別し得るこれらのパケットに、例えば種々の言語の種々のタイプのテキスト情報（アルバムタイトル、曲目、解説、アーチスト名等）を記録しておくことにより、ユーザは主カテゴリコードとサブカテゴリコードの選択により、サブ記録領域の、主カテゴリコードとサブカテゴリコードで識別し得る種々のパケットが交互に記録されている部分から、所望の言語の所望のタイプのテキスト情報を比較的短い平均待ち時間で選択することができる。
【０００７】
さらに本発明の他の好適例では、所定の主カテゴリコードが前に選択された主カテゴリ選択に優先する優先機能を規定するものとする。以前の選択した主カテゴリに優先する主情報カテゴリを用いるようにすると、言語に無関係な情報を転送する場合に、僅か１つの主カテゴリのチャネル、この場合には前記予定した（優先）主カテゴリによって指定されるチャネルを用いるだけで済むと云う利点がある。
【０００８】
本発明によるシステムのさらに他の好適例では、所定のサブカテゴリコードが前に選択されたサブカテゴリ選択に優先する優先機能を規定するものとする。このようにすれば選択したサブカテゴリに無関係に重要なメッセージを転送することができる。
【０００９】
さらに本発明の好適例では、前記パケットは符号化テキスト又は像情報及び追加の制御コードを含むものとする。このようにすれば、情報読出しの制御を、パケットに記録した情報により簡単に行うことができるので有利である。この場合における極めて重要な制御コードは、別個のパケットを介して転送された符号化テキストラインを表示装置に表示させる位置を示すテキスト位置コードである。
【００１０】
本発明によるシステムのさらに他の好適例では、符号化テキストを構成するパケットの制御コードが、表示し得るライン数が相違する少なくとも２つの表示装置に対するテキスト位置コードを含むものとする。同じ符号化テキストラインに割り当てられる２つの異なるテキスト位置コードを用いることにより、同じ情報に対して各表示装置に符号化テキストラインを転送させるようにする必要なく、異なるタイプの表示装置を使用することができる。
【００１１】
本発明による情報キャリアによれば、例えばCRT表示装置の如き21ライン表示装置及び２ラインLCD表示装置に同じテキストを表示させることができる。CDVプレーヤを用いる場合には、そのCDVプレーヤと通常一緒に用いられるテレビジョンスクリーンにテキストを表示させることができる。テレビジョン装置を利用できない場合には、CDプレーヤ又はCDVプレーヤにより構成した２ライン表示装置に同じテキストを表示させることもできる。
【００１２】
符号化テキスト又は像情報の表示装置を制御するためのコード以外に、プレーヤ及び他の周辺機器を制御するためのコマンドコードも別個のパケットを介して転送することができる。この場合の極めて重要なコマンドコードは情報トラックの他の部分に読出しをジャンプさせたり、パケットを経て転送されるテキスト情報を表示させるのに用いられる表示装置のON及びOFFを切り換えたりするコマンドに対するコードである。
【００１３】
本発明による情報キャリアの他の好適例では、同一の情報カテゴリの複数のパケットは群を構成し、各群の始端がスタートコードにより示されているものとし、新たに選択された情報カテゴリによりパケットの群内のスタートコードが検出されるまで、選択されたカテゴリの変化後、新たに選択されたカテゴリの情報を有するパケットの分離を延期し得るようにする。このようにすることにより、必要なテキストラインのグループを規定のスクリーン位置から前進方向へと、例えば頂部から底部へと常に表示させることができる。
【００１４】
さらに本発明の他の好適例では、メニューの符号化テキストライン及び関連する命令コードがパケットに記録されているものとし、分離されたパケットのテキストライン及び関連する命令コードをメニューメモリにロードし、メニューメモリに記録されたメニューテキストラインを表示し、表示されたメニューテキストラインを選択し、メモリに記録され選択されたメニューテキストラインに関連する命令コードを制御コードとして装置の１つに供給し得るようにする。このようにすれば、再生装置の相対的制御を簡単な方法にて実現することができる。
【００１５】
本発明の他の好適例ではパケットが、符号化メニューテキストライン及び対応するコマンドコードを記憶すべきメモリ位置のアドレスを示すインデックスコードを含むものとする。
【００１６】
さらに本発明の他の好適例では、前記情報キャリアはCD又はCDV−ディスクであり、主情報が記録された主情報トラックの前段のリード−イントラックにTABLE OF CONTENTSが記録され、リード−イントラックにはジャンプコマンドがＲ〜Ｗサブコードチャネルに機能制御コードとともに記録されているものとする。
【発明を実施するための最良の形態】
【００１７】
以下実施例について図面を参照して説明するに、図１はコンパクトディスク又はＣＤＶディスクのオーディオチャネルに記録されたディジタルデータ流を示す。１フレーム(FRAME)は588ビットの記録データから成り、各フレームはその冒頭に特定ビットパターンのフレーム同期パルスFSを有している。このフレーム同期パルスFSには３ビットのDC制限ビットRBを追従させる。その後、各々14ビットの０から32番目までのデータビットDBと３ビットのDC制限ビットRBとを交互に記録する。これらのデータビットDBの内の０番目のデータビットをサブコード信号と称し、これはディスクの再生を制御したり、関連する情報を表示したりすることなどに用いる。第１〜第12番目及び第17〜第28番目のデータビットDBは主チャネルのオーディオデータ用に割り当てる。残りの第13〜第16番目及び第29〜第32番目のデータビットDBは主情報チャネルのエラー訂正コードのパリティデータ用に割り当てる。データビットの各々は、記録時に８ビットデータを8-14変換により変換した14ビットで構成する。
【００１８】
図２は、98個のフレームを順次並列に配置し、データビットの各々を８ビットで表わし、且つDC制限ビットを除外した場合における１ブロック(BLOCK)(98フレーム)の状態を示す。０番目と第１番目のFRAMEにおけるサブコード信号は予定したビットパターンである同期パターンを形成する。Ｑチャネルに対するエラー検出用のCRCコードを98フレームの内の後の方の16フレームに挿入する。
【００１９】
Ｐチャネル信号は音楽番組及びポーズ状態を示すフラグであり、この信号のレベルは音楽番組の期間中は充分低レベルにあり、ポーズ期間中はずっと高レベルにあり、しかもリードアウト区分に周期が２Hzのパルスを有している。Ｐチャネルにおける斯る信号を検出し、且つ計数することによって特定の音楽番組を選択して再生することができる。Ｑチャネルは斯るタイプのもっと複雑な制御をすることができる。例えば、Ｑチャネル情報をディスク再生装置に据え付けたマイクロコンピュータに記憶させれば、或る音楽番組の再生中に一方の音楽番組から他方の番組へと迅速にジャンプさせることができ、従って記録済みの音楽番組のそれぞれをランダムに選択することができる。
【００２０】
本発明によれば、他のＲ〜Ｗチャネルを用いてテキスト情報及び記録情報の読出しをインタラクテイブに制御するためのコマンドを転送する。これらのデータを転送するフォーマットについては後に詳細に説明する。
【００２１】
Ｑチャネルにおける98ビットの内の最初の２ビットは同期パターン用に用い、つぎの４ビットは制御ビットとして用い、これに続く72ビットはデータビット用に用い、残りはエラー検出用のCRCコードに用いる。データビットを表わす72ビットにはトラック番号コードTNR及びインデックスコードＸを含める。トラック番号コードTNRは00から99まで変えることができ、インデックスコードＸも同様に00から99まで変えることができる。さらに、Ｑチャネルにおけるデータは音楽番組及びポーズの時間的期間を表わす時間指示コード及びコンパクトディスクの番組領域におけるリム最外側の始端から終端まで連続的に変化する絶対的な時間を表わす時間指示コードを含んでいる。これらの時間指示コードは各々が２桁から成る分、秒及びフレーム番号を示すコードで構成する。１秒は75フレームで構成する。音楽よりも短い時間単位に基づく上述したようなディジタルデータをコンパクトディスクから読取るためには、上述した絶対時間に対する時間指示コードを利用する。
【００２２】
各ブロックのＲ〜Ｗチャネルビットが各６ビットの96個のシンボルから成るパケットで構成する。図３にこのようなパケットを参照番号30にて示してある。パケット30は各々が24個のシンボルから成る４つのパック31で構成する。各パケット30には、そのパケットの情報がどのカテゴリに属するかを示す主カテゴリコードと、サブカテゴリコードとを割り当てる。異なるカテゴリのパケットをインターリーブさせる。パケットに記録する情報は表示装置に表示させるテキスト情報又は画像情報とすることができ、また情報の読出しを制御する命令コードとすることができる。
【００２３】
図４は異なるカテゴリの一連のインターリーブパケットを示す。異なるカテゴリのパケットをそれぞれ30a，30b及び30cにて示してある。同じ主カテゴリのパケットは主チャネルを形成する。主チャネル内の同じサブカテゴリのパケットはサブチャネルを形成する。
【００２４】
主チャネルを用いることにより表示すべきテキスト情報の言語を選択することができる。サブ情報チャネルを用いることによりアルバム、トラックのタイトル、トラックリスト、演奏者等の如きサブ情報カテゴリを選択することができる。異なるカテゴリのチャネルを用いることにより、ディスクの再生中に表示装置に表示すべき言語及びサブ情報カテゴリを選択することができる。
【００２５】
図5A〜5Dは１ラインの符号化テキストを転送するのにそれぞれ適しているパック０，１，２及び３のフォーマットを示したものである。各パックのシンボル０はフォーマットの形式を示すのに用いる。図面にモード(Mode)２アイテム(Item)０にて示すフォーマットは40のテキストアイテムから成る符号化テスキトラインを転送するのに用いる。パック０のシンボル１の全ビット及びシンボル５のビット５並びにパック３のシンボル４のビット４は、サブ情報カテゴリを示す８ビット(SIC7 〜SIC0)を転送するのに用いる。パック１のシンボル１のビット(MIC5〜MIC0)は主カテゴリを示すのに用いる。このようにして64個の異なる主カテゴリと256個の異なるサブ情報カテゴリとを選択することができる。各パックのシンボル４のビット５はパケット同期用に用いる。各パックのシンボル２，３及びシンボル20〜33はエラーチェック及びエラー訂正用に用いる。パック０のシンボル６〜19と、パック１のシンボル６〜18及びシンボル１９のビット５並びに４と、パック２のシンボル６〜18と、パック３のシンボル６〜18は、各バイトが符号化テキストアイテム、例えば英数字文字を示す40バイトを転送するのに用いる。パック０のシンボル４のビット４〜０（L4〜L0）は、転送されたテキストラインを第１表示能力を有する表示装置、例えば表示能力が21テキストラインのCRT表示装置に表示させる垂直位置を示す第１テキスト位置コードを構成する。パック１のシンボル４におけるビットLCD1及びLCD0は、符号化テキストラインを第２表示能力を有する表示装置、例えば２ラインLCD又はLED 表示装置に表示させる垂直位置を示す第２テキスト位置コードを構成する。同じテキストラインに割当てられた２つの異なる位置コードを用いることにより、21ライン表示装置及び２ライン表示装置のように２つの異なるタイプの表示装置を用いることができる。テレビジョンスクリーン形態の21ライン表示装置は、ビデオ情報をCDVディスクを介して転送する場合に通常有効である。しかし、21ライン表示装置を利用できない場合には、CDVディスクを介して転送されるビデオ情報又はその一部を２ライン表示装置にて表示させることができる。２つの異なる表示装置に異なる情報を表示させることもでき、例えば２ライン表示装置は所謂ソフトキーの機能を示すテキスト情報を表示させるのに用いることができ、21ライン表示装置は他のテキスト情報を表示させるのに用いることができる。このように２つの異なる表示装置を用いる場合には、パケットの符号化テキストラインを21ライン表示装置又は２ライン表示装置にそれぞれ表示すべきでない旨をテキスト位置ラインコードL4〜L0=00000及びLCD1，LCD0=00により指示することができる。
【００２６】
パック１のシンボル１９のビット３〜０、パック２及びパック３のシンボル19はメニューメモリ内の記憶位置を示す２バイトインデックスコードを転送するのに用いる。インデックスコードの機能については後に説明する。パック２のシンボル５のビット４は表示装置をスイッチオンすべきかスイッチオフすべきかを示す。パック０〜３の他のビットは符号化テキストの表示を制御する他のデータ、色やスクロール区域や表示モード（例えばテキストのみ、背景ビデオと合成されるテキスト）を規定するデータに用いる。
【００２７】
図６ａ，ｂ，ｃ及びｄは命令コードを転送するのに好適なフォーマットの一例を示す。主チャネル及びサブチャネル用、誤り検査及び訂正用、同期用及び表示のスイッチオン及びオフ用のビットは図５に示すフォーマットと同一である。パック０〜３のシンボル０のアイテムコード用ビット０〜２は使用するフォーマットのタイプを示すのに用いる。パック０のシンボル４のビット４〜０内の４ビットコードDTA4〜DTA0を用いてこのパケットは命令コードを含むことを示すことができる。命令コードの転送に用いるビットは図５に示すフォーマットで符号化テキストアイテムを転送するために用いられるものと同一である。各命令コードに対し７バイトを転送し、２バイトをメニューメモリ内の記憶位置を示す２バイトインデックスに用い、他の５バイトを命令の指定に用いる。
【００２８】
符号化テキスト及び命令コードを転送するパケットの使用により、Ｒ〜Ｗサブコードチャネルに記録されているパケットによって再生装置に転送されるメニュー情報を用いて再生装置を対話制御することができる。
【００２９】
図７は情報キャリアに記録されている情報を検索する本発明装置の一実施例を示す、本例装置にはパケット内に記録されているテキスト情報を表示する表示装置と、パケットに記録されているメニュー情報を用いて読取りを対話式に制御する手段とが設けられている。図７において、情報キャリアは70で示してある。情報キャリア70上にはCD信号を含む信号が記録されており、そのＲ〜Ｗサブコードビットは上述したようなフォーマットに記録されている。斯る情報キャリアはＦＭ変調ビデオ信号とＣＤ信号が記録されたCDVディスクとすることができる。ディスク状情報キャリア70は駆動モータ71で回転される。読取ヘッド72は半径方向位置決めシステム、例えばモータ73及びスピンドル84によって、情報キャリア上のアドレスされた情報をサーチする通常の制御回路76の制御の下で半径方向に移動することができる。読取られた信号はCD信号とFM変調ビデオ信号とを分離する回路74に供給する。
【００３０】
FM変調ビデオ信号VmはFM変調信号をビデオ信号Ｖ、例えばPAL又はNTSC信号に復調するFM復調器を備えたビデオ処理回路75に供給する。ビデオ処理回路75はビデオ情報と一緒に転送された画像番号コードPNCを分離する手段も備えている。画像番号コードPNCは制御回路76に供給される。CD信号はCD信号をオーディオ信号ADに変換すると共にＰ〜Ｗサブコード信号を分離するCD信号処理回路81に供給する。サブコード信号Ｒ〜Ｗはサブコード信号処理回路に供給し、この回路は既知のタイプのマイクロコンピュータ７７で構成することができる。マイクロコンピュータにはパケットのシンボル０を用いて受信パケットが図５に示すフォーマットを有するのか図６に示すフォーマットを有するのかを検出するプログラムがロードされている。更に、パケット内の主及びサブカテゴリコードを読取り、選択された主及びサブカテゴリコードを表わすコードと比較する。検出されたカテゴリが選択されたカテゴリと一致するパケットを分離し、検証する。分離したパケットの符号化テキストアイテム及び表示制御信号を通常のタイプの変換回路78に供給し、符号化テキストアイテムをビデオ信号に変換してテキストラインを制御信号から成るテキスト位置コードで指示される表示スクリーン上のライン位置に表示させる。ビデオ処理回路75により発生されたビデオ信号も変換回路78に供給される。
【００３１】
マイクロコンピュータ77から受信される制御信号に応じて変換回路78は・ビデオ信号により表わされるビデオ情報と受信符号化テキストアイテムにより表わされるテキストとの合成表示、・ビデオ情報のみの表示、・テキスト情報のみの表示、を生ぜしめる。
【００３２】
前述したように、種々の主情報カテゴリのパケットは種々の言語のテキスト情報を転送するのに好適に使用することができる。サブ情報カテゴリのパケットは種々のタイプの情報、例えばサブメニュー、アルバム、トラック及びインデックスタイトル、トラックタイトルリスト又は歌詞を転送するのに好適に使用することができる。このようにすると、ユーザは表示すべきテキスト情報のタイプ及びこのテキスト情報を表示すべき言語を選択することができる。
【００３３】
１つの主カテゴリはオーバライド（優先）主カテゴリを指示するために取っておき、１つのサブカテゴリをオーバライドサブカテゴリを指示するために取っておくのが好ましい。オーバライド主カテゴリとオーバライドサブカテゴリコードを有するパケット内の情報はマイクロコンピュータ７７により、常に主及びサフカテゴリの現在の選択をバイパスして変換回路78に供給される。オーバライド主カテゴリコードと、オーバライドサブカテゴリコードでないサブカテゴリコードとを有するパケット内の情報はサブカテゴリコードが選択されたサブ情報カテゴリと一致する場合にのみ変換回路78に供給される。
【００３４】
オーバライド主カテゴリでない主カテゴリコードと、オーバライドカテゴリコードとを有するパケット内の情報は主カテゴリコードが選択された主情報カテゴリと一致する場合にのみ変換回路78に供給される。オーバライド情報カテゴリの使用はテキスト情報と無関係の言語を表示する必要がある場合に有利であり、この場合にはオーバライド主チャネル内に情報と無関係の言語を記録するだけで充分である。オーバライドカテゴリの使用は重要なメッセージを表示する必要がある場合にも有利である。
【００３５】
複数のテキストラインを一群の情報として表示する必要がある場合には、パケット群の第１パケットを示すパケット内の所定のビットを用いるのが有利である。図５及び図６に示すフォーマットにおいてはこのビットはビットCDS(パック２のシンボル１のビット４)である。カテゴリの変更後は、新しく選択されたカテゴリのパケットの情報の供給開始は、各パケット群の開始を示すCDSビットが検出されるまで延期される。これにより、１群のテキストラインを常に規定のスクリーン位置から出発して、例えば上から下へと、次々に表示させることができる。
【００３６】
マイクロコンピュータ77はメニューメモリ82と結合され、このメモリには対話制御用メニューアイテムを形成するテキストライン用のコードが記憶されている。各メニューテキストラインに対し１つの命令コードを割り当てる必要があり、これら命令コードもメニューメモリ内に記憶されている。マイクロコンピュータ77には符号化テキストラインを変換回路78に供給してメニューを表示装置79上に表示せしめるプログラムがロードされている。更に、マイクロコンピュータ77は表示すべきメニューテキストラインを選択するメニュー選択装置83にも結合される。このメニュー選択装置83は表示装置のスクリーン上に表示されるカーソルを移動させるカーソル制御キーと、カーソルで指示されたメニューテキストラインを選択する選択キーとで構成することができる。ユーザが指示されたメニューテキストラインを選択すると、対応する命令コードが実行される。
【００３７】
表１はメニュー情報をどのようにメニューメモリ82内に記憶し得るかを示すものである。
【表１】
2006139915.tif 000003
【００３８】
左端の第１欄はメニューテキストラインと命令コードの組合せが記憶されている記憶位置のインデックスアドレスを示す。５バイトを含む命令コードは第３欄に示してある。実行すべき機能は表の第４欄に示してある。
【００３９】
表１には４種類のメニューのメニュー情報が記憶され、インデックスアドレス0001〜0006に１つのメニューが、インデックスアドレス0080〜0083に他の１つのメニューが、インデックスアドレス0100〜0103に他の１つのメニューが、インデックスアドレス0123〜0125に他の１つのメニューが記憶されている。表１においては４種類の命令を区別する必要がある。
【００４０】
・第１のタイプの命令は命令コードから成るアドレスで指示される記録キャリア上の位置に記録されている情報のサーチを開始させる命令（ジャンプ命令）である。このアドレスはサブコードＱチャネル内に記録されている絶対時間コード又はビデオ情報と一緒に記憶されている画像番号とすることができる。このタイプの命令と対応するテキストラインが選択されると、マイクロコンピュータ77が制御回路76によりサーチ機能を開始させる。制御回路はアドレスコードで指示される位置のサーチを制御し得る通常のタイプのものである。この第１タイプの命令コードは例えばインデックスアドレス0080及び0081により指示される記憶位置に蓄積されている。
【００４１】
・第２のタイプの命令は命令コードから成るインデックスアドレスで指示される他のメニューを表示せしめる命令である。このタイプの命令は例えばインデックスアドレス0006及び0083で指示される記憶位置に記憶されている。
【００４２】
・第３のタイプの命令はマイクロコンピュータ77により受信されたパケットストリームから分離すべきパケットの主及び／又はサブカテゴリを選択する命令である。このタイプの命令コードは例えばインデックスアドレス0001及び0082で指示される記憶位置に記憶されている。
【００４３】
・第４のタイプの命令はマイクロコンピュータ77により供給される符号化テキストの表示をオン又はオフにセットする命令である。このタイプの命令は例えばインデックスアドレス0004及び0125により指示される記憶位置に記憶されている。マイクロコンピュータ77には所定のキーの押圧に応答して表示をオンにセットするプログラムもロードされている。このようにすると、このキーの押圧をマイクロコンピュータで検出し、表示セットオン命令を変換回路78に送出して表示をオンにセットすることができる。
【００４４】
表１に示す例では、４種類のみの異なる命令コードを示してある。しかし、情報の対話式読出しによりいかなる種類の装置をも制御する他の種類の命令をも、例えば再生中にポーズを生ぜしめるポーズ命令コードや、ビデオ及び／又はオーディオ出力をミュートさせるミュート命令や、情報の読出しを開始させる再生命令を用いることができる。
【００４５】
メニュー情報はＲ〜Ｗサブコードチャネル内に図６及び図７に示すようなフォーマットで記録されており、このメニュー情報も、情報キャリア70上のプログラムの再生開始前に見うるようにするのが好ましい。情報キャリアをCD又はCDV ディスクとする場合には、好ましくは第１情報トラックの始端の前に、すなわちリードイントラックの終端と第１情報トラックの始端との間のトラックプレポーズ(00の下位のトラック01)のＲ〜Ｗチャネル中にメニュー情報を記録しておくようにすることができる。メニュー情報が第１情報トラックの前に記録されている場合には、CDサブコードリードインエリアからTOC（テーブルオブコンテンツ）を読出した直後に実行される前記のジャンプ命令を用いることにより、メニュー情報を再生の開始前に取出してメモリ内にロードさせることができる。メニュー情報をメニューメモリ内にローディングするためには、選択した主カテゴリのパケット中のインデックスコードを検出し、このインデックスコードによって示されるアドレスに、符号化メニューテキストラインと、これに対応する命令コードとを記憶するようにマイクロコンピュータ77をプログラミングする。
【００４６】
所定のインデックスコード、例えば00を有する符号化テキストライン及び命令コードはメモリ中に記憶しない。このインデックスを有する命令コードは直接実行される。これにより、メニュー情報がメモリ中にロードされる前に多数の命令を実行させるようにする。例えば主及びサブカテゴリを設定する命令により、メニュー情報が記録されている位置の探索及び読出しを開始し、続いてメニュー或いは画像の表示を行なったり、メニュー情報の読込み後に主メニューを表示したりする。
【００４７】
図８は、CD或いはCDVディクスのＲ〜Ｗサブコードチャネルに開始（スタート・アップ）情報を記録するのが好ましい位置を示す。符号90はCD信号が記録されているトラックを示す。トラックの始端は、内容テーブル(TOC)がサブコードＱチャネルに記録されているリードイントラック91を表わす。
【００４８】
オーディオ情報を有する第１情報トラック（トラック１／インデックス１）を92で示してある。リードイントラック91と第１情報トラック92との間にプレポーズトラック(トラック１／インデックス０)93が位置している。リードイントラック後に位置しているトラック90の部分では、情報位置(アドレス)を表わす絶対的なタイムコードがサブコードＱチャネル中に記録されている。
【００４９】
Ｒ〜Ｗサブコードチャネルには、開始情報の記録の始端を表わすアドレスTAを含むジャンプ命令が記録され、Ｒ〜Ｗサブコードチャネルのプレポーズトラック93には例えばメニュー情報が記録されている。内容テーブル(TOC)の終端とメニュー情報の始端との間の安全距離は参照符号SAで示してある。第１情報トラック中のＲ〜Ｗチャネル（トラック１／インデックス１）には他のメニュー情報を含めることができる。トラック90の読出しを開始すると、まず最初にTOCが読込まれ、アドレスTAを含むジャンプ命令コードがＲ〜Ｗチャネルから読出される。内容テーブルの読込みが終了した後、アドレスTAを含むジャンプ命令が実行され、メニュー情報が読出されてメニューメモリに記憶される。検索後に直接実行される命令コードを用いることによりメニュー情報のローディング及びメニュー或いは画像の表示後にポーズ機能を呼び出す。また直接実行される命令コードを用いることにより、メニューを表示せしめることなく情報トラックの１つの読出しを開始せしめることもできる。プレポーズトラックの長さは約２〜３秒の再生時間に対応し、このことは約200のメニューテキストラインをプレポーズトラック93に記録せしめることができるということを意味する。しかし、より一層多くのテキストラインを読込む必要がある場合には、他のメニュー情報を主情報プログラムのいかなる部分に対しても並列にしてＲ〜Ｗサブコードチャネル中に記録することができる。この場合、プレポーズトラック93に記録されたミュート命令によりＲ〜Ｗ情報の検索中にオーディオ及びビデオ情報の出力をミュートさせ、トラック92の読出し中出力オーディオ情報及びビデオ情報をミュートさせるようにするのが好ましい。前述したＲ〜Ｗ信号のフォーマットは、CDプレーヤ及びCDVプレーヤに対する簡単で有効な対話式制御以外に、情報キャリア自体に記録されたオーディオ又はビデオ情報に関する追加のテキスト情報を迅速に表示せしめる。
【００５０】
また種々の情報カテゴリを使用することにより、種々の主カテゴリコードを有するパケットに、種々の言語のテキスト情報を記録せしめうるため、各ユーザは最も精通した言語を選択しうるようになる。また種々のサブカテゴリを使用することにより表示すべき情報の種類を簡単に選択しうるようになる。種々のカテゴリのパケットはインターリーブされており、且つＲ〜Ｗ信号で記録された情報に対するデータ転送速度は速い（75パケット／秒）であるため、所望の言語で選択した情報の種類が迅速に得られるようになる。このようにデータ速度を高速にすることにより、情報に対するアクセス時間の著しい減少を犠牲することなくパケットの情報を数回繰返すことができるという利点が得られる。
【００５１】
Ｒ〜Ｗサブコードチャネルを経て情報を転送するプログラムは特に、約20分のオーディオ情報と６分のビデオ情報とが記録されている５インチ(12.7cm)CDVにとって有利である。オーディオ情報のみが再生されている期間中は、Ｒ〜Ｗチャネルに記録された情報を表示しうる。情報転送に対しＲ〜Ｗサブコードチャネルを用いるシステムの他の利点は、これらのチャネルが現存のCDオーディオディスク及びCDVディスクでは一般に用いられていないということである。このことは、情報がＲ〜Ｗサブコードチャネルに記録されたCDオーディオディスク及びCDVディスクを従来のCD及びCDVディスクプレーヤにより問題なく読出すことができるということを意味する。
【００５２】
図７に示す装置は、マイクロコンピュータ77により通常の種類の制御回路78aを経て制御しうる２ラインLCDディスプレイ79aにより拡張し、この２ラインLCDディスプレイの第１又は第２ラインを表わすテキスト位置コードLCD1,LCD0=01又は10でテキストラインを表示するようにすることができる。前述したように、テキスト位置コードLCD0,LCD1=00を用いてテキストラインは２ランLCDディスプレイに表示すべきでないということを指示する。またテキスト位置コードLCD0,LCD1=11により、新たなテキストラインが下側のラインに表示される前に２ラインLCD ディスプレイ79a上に表示されている情報を強制的にアップ・スクロールさせる。
【００５３】
図７に示す装置は更に、読出し専用型の第２メニューメモリ82aにより拡張させることができ、この第２メニューメモリには、オーディオ信号の出力レベルの設定や、ビデオディスプレイシステムの設定や、チューナ、ビデオレコーダ等のような追加の装置の制御のような第７図の装置のハードウェア依存制御を達成しうるようにするためのメニューテキストライン及び対応の命令を永久的に記憶させる。メニューメモリ82からメニューメモリ82aへの且つその逆の切換えを可能にするために、使用されているメニューメモリまたは設けられている制御キーを切換えるための選択自在の命令コードを各ニューメモリに記憶させる。メニュー情報が同じフォーマットで記憶された２つのメニューメモリを用いることにより、第７図の装置のハードウェア依存機能の制御と、情報キャリア上に記録された情報の対話式の探索の制御とをユーザにより同様に行うことができるという利点が得られ、このことはベリーユーザ堯フレンドリィ ユーザ インタフェース(very user-friendly user interface)が得られるということを意味する。
【００５４】
図９は、図７に示す装置に用いるリモートコントローラ100の一実施例を示し、このリモートコントローラには、２ラインLCDディスプレイ79aと選択手段83とが設けられている。この選択手段のキーを101a,---,101j及び102〜107によって示してある。キー105は、ディスプレイがディスプレイスイッチOFFモードに設定されている場合に、メニューの表示を呼出すキーである。メニューが既に表示されている場合には、このキー105を作動させることにより以前のメニューを表示せしめる。キー103及び107はディスプレイ79a又は79に表示されたカーソルを上方又は下方に移動させるカーソル制御に用いられる。図７の装置には、カーソルが表示されている上側又は下側テキストラインに達した場合に、表示されている情報をアップ・スクロール又はダウン・スクロールする通常の種類の手段が設けられている。キー106は他のキーを介して挿入された指令を終了させる"入力（エンター）"キーとして用いられる。キー101はテキストラインからメニューアイテムを選択するのに用いることができ、これらのメニューアイテムは例えば表示メニュー中に番号によって示されている、すなわちキー101と物理的に結合されている。
【００５５】
キー101をこの選択機能に用いる場合、21ラインディスプレイ上には全メニューを表示し、２ラインディスプレイ上には、カーソル位置に関係なく各キーのすぐ上にキー101の機能の指示を表示するようにするのが好ましい。また、命令コードのインデックスアドレスをリモートコントローラ100により直接入力するプログラムをマイクロコンピュータ77にロードすることも有利である。アドレスの入力は、命令コードを直接アドレスするためのアドレスを主及びサブカテゴリコードと一緒に挿入すべきであるということを指示するためのキー104を作動させ且つキー101a〜101hによりアドレスを入力することにより達成しうる。アドレスコードを直接入力した後、アドレスされた命令コードによって表わされる命令が実行される。このようにすると、ユーザは通常命令コードのインデックスアドレスを知らないという問題が生じるおそれがある。
【００５６】
この問題を解決するために、選択されたメニューライン又はアイテムのアドレス、従って対応する命令コードのアドレスを表示するプログラムをマイクロコンピュータに設けることができる。例えば少なくとも２秒よりも長い所定の期間キー104を押し続けることにより、選択されたメニューテキストラインのアドレスの表示を望んでいるということをユーザによって示すようにすることができる。
【００５７】
上述した例では、本発明をCDディスクに対して適用したが、本発明はディジタルオーディオテープレコーディングシステムのような他の情報記録システムにも適用することができる。また上述した例では、符号化テキスト及び命令コードのみを転送するようにしたが、例えば圧縮画像情報、目的コード、合成音声等のような他の情報をパケット内に記録することもできる。
【図面の簡単な説明】
【００５８】
【図１】標準化されたCD信号のデータ構成を示す説明図である。
【図２】標準化されたCD信号のデータ構成を示す説明図である。
【図３】標準化されたCD信号の１ブロックのＲ〜Ｗサブコード信号によって形成される情報パケットの構成を示す説明図である。
【図４】種々の情報カテゴリから成る一連の多数のインターリーブパケットを示す説明図である。
【図５】A〜Dは本発明によるシステムに使用するパケットのデータフォーマットの例をそれぞれ示す説明図である。
【図６】A〜Dは本発明によるシステムに使用するパケットのデータフォーマットの例をそれぞれ示す説明図である。
【図７】本発明によるシステムに使用する装置の一例を示すブロック線図である。
【図８】本発明による情報キャリアの情報トラックのレイアウトを示す説明図である。
【図９】本発明による装置に使用するリモートコントローラの一例を示す平面図である。
【符号の説明】
【００５９】
FS  フレーム同期
DB  データビット
DC  DC制限ビット
DB(0)  サブコードデータ
DB(1-32)  主データ
30  パケット
31  パック
MIC0-5  主カテゴリコード
SIC0-7  サブカテゴリコード
70  情報キャリア
72  読取ヘッド
74  分離回路
75  ビデオ処理回路
76  制御回路
77  マイクロコンピュータ(サブコード処理回路)
78  変換回路
78a  制御回路
79  表示装置
79a  ２ラインLCDディスプレイ
82  メニューメモリ
82a  第２メニューメモリ
83  メニュー選択装置
90  ＣＤ信号記録トラック
92  第１情報トラック
93  プレスポーズトラック
100  リモートコントローラ
【図１】
2006139915.tif 000004
【図２】
2006139915.tif 000005
【図３】
2006139915.tif 000006
【図４】
2006139915.tif 000007
【図５】
2006139915.tif 000008
【図６】
2006139915.tif 000009
【図７】
2006139915.tif 000010
【図８】
2006139915.tif 000011
【図９】
2006139915.tif 000012